(57)【特許請求の範囲】
【請求項１】
平らな状態の飼育用具を棒状の構成部材のつなぎ合わさった方向に曲げて弓形、馬蹄形またはトンネル形の形態に変えることができ、しかも変えた形態を維持できる愛玩動物用飼育用具であって、
棒状の構成部材は所要数並設されており、該構成部材には挿通孔が形成してあり、該挿通孔には針金が挿通されて各構成部材が互いにつなぎ合わせてあることを特徴とする、
愛玩動物用飼育用具。
【請求項２】
隣接する飼育用具を相互に連結するための連結手段が設けてあることを特徴とする、
請求項１記載の愛玩動物用飼育用具。
【請求項３】
所要の位置には、愛玩動物が出入り可能な出入口（５）が設けられていることを特徴とする、
請求項１または２記載の愛玩動物用飼育用具。
【請求項４】
請求項１，２または３記載の飼育用具を複数連結して、所要の形状または構造を形成することを特徴とする、
愛玩動物用飼育装置。
【発明の詳細な説明】
【０００１】
【発明の属する技術分野】
本発明は、愛玩動物用飼育用具及びそれを使用した愛玩動物用飼育装置に関するものである。
更に詳しくは、ブリッジ形、トンネル形、ハウス形などの様々な形状に変形することができる飼育用具及び当該飼育用具を複数連結させて所要の形状または構造を形成することができる愛玩動物用飼育装置に関するものである。
【０００２】
【従来技術】
愛玩動物（以下、主に「ペット」と記載）の飼育容器には、通常、ペットの運動不足を防止し、ストレスを解消させるための飼育用具が設けてある。例えば、ハムスターやモルモットなどの飼育には、掛け渡された板の上を通行可能なブリッジ形、内部を通行可能なトンネル形、内部に出入り可能なハウス形など、様々な形状の飼育用具が使用されている。
【０００３】
ところで、ハムスターやモルモットなどの飼育は一般に屋内で行うため、なるべく場所を取らないように飼育容器は小さなものが使用される。また、飼育容器には、上記飼育用具以外にも給餌具や給水具等が置かれているため、飼育容器内に複数の飼育用具を設けることは難しい。
【０００４】
したがって、様々な形状の飼育用具を飼育容器内に設けたい場合には、複数の飼育用具を揃えておき定期的に取り換えることになる。
【０００５】
【発明が解決しようとする課題】
しかし、上記したような従来の飼育用具は、次のような課題があった。
即ち、従来の飼育用具は形状が定まっているため、創作性に乏しく、飼育者が様々に工夫して変形させるというような面白みがなかった。
【０００６】
また、通常、従来の飼育用具はその形態を変形させることができないため、狭い隙間等に糞やゴミなどが入り込むと掃除がしにくかった。
【０００７】
更に、ブリッジ形，トンネル形，ハウス形など様々な形状の飼育用具を買い揃えるとその分経済的負担がかかっていた。
【０００８】
本発明の目的は、上記課題を解決するもので、飼育者は基本形状のものをブリッジ形、トンネル形、ハウス形などの様々な形状に工夫して変形させることが可能であり、創作性に富み、ペットの飼育がより楽しめる飼育用具を提供することにある。
【０００９】
本発明の他の目的は、変形させることで狭い隙間等の拡開を可能し、そこに入り込んだ糞やゴミなどの掃除が簡単にできる飼育用具を提供することにある。
【００１０】
更に本発明の他の目的は、基本形状のものを変形させることで様々な形状の飼育用具を買い揃える必要がなく、経済的な飼育用具を提供することにある。
【００１１】
更にまた本発明の他の目的は、連結手段が設けられた飼育用具を複数連結させることで、様々な形状または構造を形成することのできる飼育装置を提供することにある。
【００１２】
【課題を解決するための手段】
上記目的を達成するために講じた本発明の手段は次のとおりである。
第１の発明にあっては、
平らな状態の飼育用具を棒状の構成部材のつなぎ合わさった方向に曲げて弓形、馬蹄形またはトンネル形の形態に変えることができ、しかも変えた形態を維持できる愛玩動物用飼育用具であって、
棒状の構成部材は所要数並設されており、該構成部材には挿通孔が形成してあり、該挿通孔には針金が挿通されて各構成部材が互いにつなぎ合わせてあることを特徴とする、
愛玩動物用飼育用具である。
【００１３】
第２の発明にあっては、
隣接する飼育用具を相互に連結するための連結手段が設けてあることを特徴とする、
第１の発明に係る愛玩動物用飼育用具である。
【００１４】
第３の発明にあっては、
所要の位置には、愛玩動物が出入り可能な出入口が設けられていることを特徴とする、
第１または第２の発明に係る愛玩動物用飼育用具である。
【００１５】
第４の発明にあっては、
第１，２または第３の発明に係る飼育用具を複数連結して、所要の形状または構造を形成することを特徴とする、
愛玩動物用飼育用具である。
【００１６】
（作  用）
本発明に係る飼育用具は次のように作用する。
即ち、飼育用具を弓形になるように屈曲させ、その形態のまま維持させる。そして、当該飼育用具の両端側を地面に接地させることにより、ブリッジ形の飼育用具を形成することができる。
【００１７】
また、飼育用具を馬蹄形になるまで深く屈曲させ、その形態のまま維持させる。そして、当該飼育用具の両端側を地面に接地させることにより、トンネル形の飼育用具を形成することができる。
【００１８】
更に、トンネル形の上記飼育用具を両端部が離れる程度に更に深く屈曲させ、その形態のまま維持させる。そして、当該飼育用具をその状態から起き上がらせることにより、ハウス形の飼育用具を形成することができる。
【００１９】
ペットが出入り可能な出入口を設けた飼育用具にあっては、ペットは上記出入口から自由に出入りが可能である。
【００２０】
隣接する飼育用具を相互に連結するための連結手段が設けてある飼育用具にあっては、複数の飼育用具を上記連結手段で連結することにより、様々な形状または構造の飼育装置を形成することができる。
【００２１】
以上のように本発明に係る飼育用具は、様々な形状の飼育用具に変形させたり、または複数連結させて様々な形状または構造の飼育装置を形成することができる。このため、次のような効果を奏する。
▲１▼飼育用具を様々に工夫して変形または組み合わせることにより、ペットの飼育をより楽しむことができる。
▲２▼飼育用具内の隙間等に例えば糞やゴミなどが入り込んだとしても、当該飼育用具を屈曲させ上記隙間を拡げることで、簡単に掃除をすることができる。
▲３▼様々な形状の飼育用具を買い揃える必要がなく、経済的である。
【００２２】
【発明の実施の形態】
本発明の第１の実施の形態を図面に基づき更に詳細に説明する。図１は第１の実施の形態に係る飼育用具の説明図である。
【００２３】
飼育用具１は、棒状体である自然木２（樹皮がついた自然のままのものを所定の長さに切り揃えたもの）を所要数用いて形成される。当該自然木２は同程度の大きさのものが使用される。また、当該自然木２は例えばサカキ，モチノキ，ショウノキ，ツバキ，カシノキ，スギ，マツなどの木が任意に用いられるが、これら種類の木のみに限定されるものではない。
【００２４】
更に詳しく説明すると、上記自然木２の長さ方向における両端寄りには、所要の大きさの挿通孔２１，２１が直径方向に貫通して形成されている。そして、針金３，３を上記各挿通孔２１，２１に挿通させることにより、上記各自然木２をほぼ直径方向につなぎ合わせる。また、上記針金３，３の両端側は、左右両側に位置する自然木２，２の内部に接着剤によって固定されている。
【００２５】
なお、各自然木２の間には若干の隙間が設けてあり、上記挿通孔２１の径は針金３の径よりも大きいため、各自然木２（左右両側を除く）は幅方向に対してスライド可能となっている。これにより、飼育用具１は長手方向に対して屈曲しやすくなっている。
【００２６】
上記飼育用具１の大きさは、ペットの大きさによって適宜に設計される。当該飼育用具１の大きさは約１０ｃｍ×２２ｃｍであり、ハムスターやモルモットなどの小動物用に設計されている。また、ウサギやフェレットなどの比較的体が大きい動物の場合は、約３０ｃｍ×４９ｃｍ程度ものが好ましい。
【００２７】
（作  用）
図２は飼育用具をブリッジ形（Ｂ１）に変形させた使用状態参考図、
図３は飼育用具を別のブリッジ形（Ｂ２）に変形させた使用状態参考図、
図４は飼育用具をトンネル形（Ｔ）に変形させた使用状態参考図、
図５は飼育用具をハウス形（Ｈ）に変形させた使用状態参考図である。
図１，２，３，４及び図５を参照して本実施の形態の作用を説明する。
【００２８】
平らな状態の飼育用具１を長さ方向に対して弓形になるように屈曲させ、その形態のまま維持させる。そして、当該飼育用具１の長手方向の両端側を地面に接地させることにより、ブリッジ形（Ｂ１）の飼育用具１を形成することができる（図２参照）。これにより、ペットは飼育用具１の上を自由に渡ることができる。
【００２９】
平らな状態の飼育用具１の左右両側付近を長さ方向に対して鋭角に屈曲させ、その形態のまま維持させる。そして、当該飼育用具１の長手方向の両端側を地面に接地させることにより、ブリッジ形（Ｂ２）の飼育用具１を形成することができる（図３参照）。
【００３０】
平らな状態の飼育用具１を長さ方向に対して馬蹄形になるまで深く屈曲させ、その形態のまま維持させる。そして、当該飼育用具１の長手方向の両端側を地面に接地することにより、トンネル形（Ｔ）の飼育用具１を形成することができる（図４参照）。これにより、ペットは飼育用具１の真下を自由に通行できる。
【００３１】
トンネル形（Ｔ）の上記飼育用具１を長手方向の両端部が離れる程度に更に深く屈曲させ、その形態のまま維持させる。そして、当該飼育用具１の幅方向の一端側を地面に接地させることにより、ハウス形（Ｈ）の飼育用具１を形成することができる（図５参照）。これにより、ペットは飼育用具１の内側に形成された空間へ切り目部分から自由に出入りすることができる。
【００３２】
以上のように、飼育用具１を長さ方向に屈曲させることで、様々な形態の飼育用具を形成することができる。これにより、次のような効果を奏する。
▲１▼飼育用具１を様々に工夫して変形させることにより、ペットの飼育をより楽しむことができる。
▲２▼各自然木２間に形成された隙間等に、例えば糞やゴミなどが入り込んだとしても、当該飼育用具を屈曲させ上記隙間を拡げることで、簡単に掃除をすることができる。
▲３▼様々な形状の飼育用具を買い揃ろえる必要がなく、経済的である。
【００３３】
本発明の第２の実施の形態を図面に基づき更に詳細に説明する。図６は第２の実施の形態に係る飼育用具の説明図である。
なお、第１の実施の形態と同一または同等箇所には同一の符号を付して示している。また、上記第１の実施の形態で示してある箇所については、説明を省略し、主に相違点を説明する。
【００３４】
飼育用具４は、飼育用具１よりも多数の自然木２を用いて形成されている。また、飼育用具４の長手方向の一方側にはペットが出入りするための出入口５が設けられ、自然木５１，５１，５１，５１により枠が形成されている。
なお、飼育用具４の大きさは約１０ｃｍ×４５ｃｍであるが、これに限定されるものではなく、ペットの大きさによって適宜に設計される。
【００３５】
（作  用）
図７は飼育用具を四角筒形のハウス形（Ｈ１）に変形させた使用状態参考図、図８は飼育用具を三角筒形のハウス形（Ｈ２）に変形させた使用状態参考図、図９は飼育用具を円筒形のハウス形（Ｈ３）に変形させた使用状態参考図である。
図６、７、８及び図９を参照して本実施例の作用を説明する。
【００３６】
平らな状態の飼育用具４を長さ方向に対しほぼ直角に四つ折りすることにより、四角筒形のハウス形（Ｈ１）の飼育用具４を形成することができる（図７参照）。これにより、ペットは出入口５から飼育用具４内に自由に出入りできる。また、自然木２をつなぎ合わせて形成した蓋体６を上記飼育用具４の上部に載置することにより、飼育用具４内部に日陰を作ることもできる。
【００３７】
平らな状態の飼育用具４の両側を長さ方向に対し鋭角に屈曲させることにより、三角筒形のハウス形（Ｈ２）の飼育用具４を形成することができる（図８参照）。また、上記と同様に蓋体６を上記飼育用具４の上部に載置することにより、飼育用具４内部に日陰を作ることができる。
【００３８】
飼育用具４の長手方向の両端側が互いに接するまで、当該飼育用具４を深く屈曲させる。これにより、円筒形のハウス形（Ｈ３）の飼育用具４を形成することができる（図９参照）。また、上記と同様に蓋体６を上記飼育用具４の上部に載置することにより、飼育用具４内部に日陰をつくることもできる。
【００３９】
以上のように、出入口５を設けた飼育用具４を使用することで、様々な形状の飼育用具を形成することができ、第１の実施の形態で示した同様の効果が得られる。
【００４０】
また、飼育用具４の両端側に位置する自然木２，２にフック（図示せず）を設けることにより、変形させた飼育用具４を確実に固定することもできる。
【００４１】
本発明の第３の実施の形態を図面に基づき更に詳細に説明する。
図１０は第３の実施の形態に係る飼育用具の説明図で、そのうちの（ａ）はペットのための出入口が設けてある飼育用具、（ｂ）は当該出入口が設られていない飼育用具、（ｃ）は複数の飼育用具を相互に連結させ固定させるための固定部材である。
【００４２】
なお、第２の実施の形態と同一または同等箇所には同一の符号を付して示している。また、上記第２の実施の形態で示してある箇所については、説明を省略し、主に相違点を説明する。
【００４３】
図１０（ａ）において、出入口５が設けられている飼育用具７の構成部材である針金３，３は、左右両端側に位置する自然木２，２を貫通している。そして、当該針金３，３の左右両端側はリング状に巻かれ、他の飼育用具と連結するための連結リング３１，３１，３１，３１を形成している。
【００４４】
また、出入口５が設けられていない飼育用具８にも同様に連結リング３１，３１，３１，３１が形成されている（図１０（ｂ）参照）。
【００４５】
固定部材９は自然木２と同じの大きさの棒状体で、自然木２と同様、樹皮がついた自然のままのものを使用している（図１０（ｃ）参照）。
【００４６】
（作  用）
図１１は上記飼育用具を複数連結させてハウス形の飼育装置を形成したときの使用状態説明図で、図１２は上記飼育用具を複数連結させて迷路状の飼育装置を形成したときの使用状態説明図である。
図を参照して本実施の形態の作用を説明する。
【００４７】
出入口５が設けられた飼育用具７と出入口５が設けられていない飼育用具８、飼育用具８と飼育用具８とが互いに向き合うように平行に配置し、四角筒形の形状を採らせる（図１１参照）。そして、隣接する連結リング３１，３１を互いに重ね合わせ、重なり合った連結リング３１，３１を貫通するように固定部材９，９，９，９を各々挿入する。これにより、第２の実施の形態で示した四角筒形のハウス形の飼育用具４（図７参照）と同様の形状を有する飼育装置を形成することができる。
【００４８】
また、飼育用具７、二つの飼育用具８，８、及び三つの固定部材９，９，９を用いて、第１の実施の形態で示した三角筒形のハウス形の飼育用具４（図８参照）と同様の形状を有する飼育装置を形成することができる（図示せず）。
【００４９】
更に、飼育用具７、飼育用具８、及び複数の固定部材９を用いて、第１の実施の形態で示した円筒形のハウス形の飼育用具４（図９参照）と同様の形状を有する飼育装置を形成することができる（図示せず）。
【００５０】
更にまた、多数の飼育用具７，８及び固定部材９を適宜組み合わせることにより、例えば、図１２に示すような迷路状の飼育装置を形成することができる。
当該飼育装置は、上記のとおり、連結リング３１に固定部材９を挿入するだけで簡単に組み立てることができ、分解するときも連結リング３１から固定部材９を取り外すだけで良い。このため、幼い子供でも簡単に取り扱うことができる。
【００５１】
以上のように、連結リング３１を設けた飼育用具７，８の組み合わせを種々変化させることで、ペットの種類に応じた形状の飼育装置やペットの数に応じた大きさの飼育装置を形成することができる。また、第１の実施の形態で示した同様の効果が得られる。
【００５２】
本実施の形態においては、同程度の大きさの飼育用具７，８を互いに連結させて様々な形状の飼育装置を形成したが、飼育用具７，８の大きさは飼育者の好みに応じて任意に選択される。
【００５３】
また、本実施の形態においては、迷路状の飼育装置の例として図１２に示す構造のものを挙げたが、上記飼育用具７，８の組み合わせは種々のものが考えられ、飼育者の工夫次第で様々な形状または構造の飼育用具を形成することができる。
【００５４】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００５５】
【発明の効果】
本発明は上記構成を備え、次の効果を有する。
（ａ）基本形状の飼育用具を屈曲変形させることで、例えばブリッジ形，トンネル形，ハウス形などの様々な形状のものを形成することができる。また、連結手段を有する飼育用具を相互に連結させることで、迷路状の飼育装置を形成することもできる。これにより、ペットの飼育をより楽しむことができる。
【００５６】
（ｂ）飼育用具内の隙間等に例えば糞やゴミなどが入り込んだとしても、当該飼育用具を屈曲させ上記隙間を拡げることで、簡単に掃除をすることができる。
【００５７】
（ｃ）基本形状の飼育用具をブリッジ形、トンネル形、ハウス形などの様々な形状に変形することができるので、様々な形状の飼育用具を別々に買い揃える必要がなく経済的である。
【図面の簡単な説明】
【図１】第１の実施の形態に係る飼育用具の説明図。
【図２】図１の飼育用具をブリッジ形（Ｂ１）に変形させた使用状態参考図。
【図３】図１の飼育用具を別のブリッジ形（Ｂ２）に変形させた使用状態参考図。
【図４】図１の飼育用具をトンネル形（Ｔ）に変形させた使用状態参考図。
【図５】図１の飼育用具をハウス形（Ｈ）に変形させた使用状態参考図。
【図６】第２の実施の形態に係る飼育用具の説明図。
【図７】図６の飼育用具を方形のハウス形（Ｈ１）に変形させた使用状態参考図。
【図８】図６の飼育用具を三角形のハウス形（Ｈ２）に変形させた使用状態参考図。
【図９】図６の飼育用具を円形のハウス形（Ｈ３）に変形させた使用状態参考図。
【図１０】第３の実施の形態に係る飼育用具の説明図。
【図１１】飼育用具を複数連結させてハウス形の飼育装置を形成したときの使用状態説明図。
【図１２】飼育用具を複数連結させて迷路状の飼育装置を形成したときの使用状態説明図。
【符号の説明】
１  飼育用具
２  自然木
２１  挿通孔
３  針金
３１  連結リング
４  飼育用具
５  出入口
５１  自然木
６  蓋体
７  飼育用具
８  飼育用具
９  固定部材
【図１】
0003621821.tif 000002
【図２】
0003621821.tif 000003
【図３】
0003621821.tif 000004
【図４】
0003621821.tif 000005
【図５】
0003621821.tif 000006
【図６】
0003621821.tif 000007
【図７】
0003621821.tif 000008
【図８】
0003621821.tif 000009
【図９】
0003621821.tif 000010
【図１０】
0003621821.tif 000011
【図１１】
0003621821.tif 000012
【図１２】
0003621821.tif 000013